(57)【要約】      （修正有）【課題】建築用コンクリ−トブロック成形機で、家屋の外柵、及び土留用化粧コンクリ−トブロック等の、成形に必要な型枠の上部加圧用型枠に関し、現在ある製造設備で成形型枠も最小限の変更で適用出来る成型用上型を提供する。【解決手段】建築用コンクリ−トブロック成型上型を多段にして、上型加圧用シリンダ−８を設け、連結棒１０及び連結板１１で加圧力を伝導して、加圧板及び多段上型で一段ずつ加圧可して一段ずつ脱形して加圧成型できる上型である。【選択図】図４
2011235623.tif 000002
【特許請求の範囲】
【請求項１】
建築用コンクリ−トブロック製造型枠の上型において、上型加圧部を複数に分割して中心部より順次加圧して、中心部より順次脱型出来る上部加圧用上型。
【発明の詳細な説明】
【産業上の利用分野】
【０００１】本発明は、従来使用されている建築用コンクリ−トブロック成形機で、家屋の外柵、及び土留用化粧コンクリ−トブロック等の、成形に必要な型枠の上部加圧用型枠に関する。
【背景技術】
【０００２】  従来、造成地の土留用又建築用外柵に使用されているコンクリ−トブロックの化粧面は、スプリット加工面か、スプリット加工と表面に凹凸加工を併用した化粧面が主流である。又、成形硬化後に刃体又は水圧により表面に加工を施した商品もあるが、加工に手間がかかり製造効率に欠ける為商品が高価になる。
【発明が解決しようとする課題】
【０００３】上記、従来有るスプリット化粧面、及び縦の凹凸化粧面にスプリット化粧面を加えた化粧ブロック等は従来多く生産され市場に多く流通されている。
化粧ブロックの用途としては、主に家屋建築の外柵又は宅地の土留めに用いられている、近年個性を全面に出して住居を構える傾向に有り化粧ブロックの模様が多種類要求されている。それゆえに、乾燥硬化後に再度加工して化粧面を作り化粧ブロックとした商品もある、市場が多種多様な化粧面を要求する為に二次加工して多様な化粧面を作り商品化している、この二次加工は工費が多く必要で製造効率に欠けることから市場では余り歓迎されない。
上記、化粧ブロックの多様化を進めるため各企業は研究開発に取り組んでいる、家屋の外柵などは競合いする商品が多く価格が高くなれば一般家屋にわ採用されなくなる、ゆえに安価で多種類の化粧ブロックが必要になる。その例として骨材の着色化又は、特開  平１１−１８８７１０等にみられる様な成形方法が提供されているが、化粧骨材の合理的使用が目的の発明もある、又、特開２００１−１９１３１４、特開  平９−１０９１２３、特願２００９−１２１３９９、等は上下二段に化粧面を分割して表現した化粧ブロックの成形方法が提供されている、上記のように各企業は新デザインの建築用コンクリ−トブロックの開発に又新成形方法に努力している。
【０００４】そこで、自己の先行出願である、特願２００９−１２１３９９、に係わる発明では中央に一段の段しか構成されず、下型枠内に化粧板を設けてその上下の動作を制御してブロックを成形する方法である、ところが、前記方法によりコンクリ−トブロックの成形には化粧板を上下に移動させる設備が必要になり製造単価上昇が避けられず、単価の低減が必要な課題になる。
上記に示す個々の新技術の提供は、コンクリ−トブロック表面の化粧を従来に無い化粧面を作る解決策であるが実行には新規の設備が必要になり製造単価の上昇は避けられず市場は受け入れがたい、ゆえに、現在ある製造設備で成形型枠も最少減の変更で成形出来る解決策が必要である。
【課題を解決するための手段】
【０００５】そこで、本発明は上記の課題を解決するために多段の上形にして上型加圧シリンダ−で加圧成形する方法を提供したものである。即ち上型のみを多段にして水平に複数の段をブロック表面に設け模様化したものである上型のみの改良は、従来図３に示す一体型の段付型で成形されていた、一体型の欠点は図３の３１、３２、３３、３４、の部分に脱型時にセメントが付着して一番重要ラインが不鮮明になり商品価値を低下させる、
【０００６】ゆえに上記欠点を解決するために本発明の多段上型を提供するものである。図４の３に示す上型の中に、１と、２の型が挟入されている、上部加圧シリンダ−８が下降して圧力が１０の連結棒を介して上型中心の１の型に加わるシリンダ−８の加圧力は連続して図５に示す左右の連結棒１０と、ピン２１、２０を介して上型２と、３に伝わり上型は水平に加圧される。
【作用】
【０００７】本発明の多段上型は脱型時に効果を発揮する、図９に示す上型の中心型１が脱型時には、型２は脱型せずに骨材を下方に押さえている為に骨材の浮き移動が無く型崩れが発生しない、型１が型２の中に挟入され型２と型１は型３の中に挟入された図を図１１で示す、図１２は上型が更に引き上げられ型３の低部が押さえ板４の底面と同一になって脱型が完了する、この脱型方法で成型が実行される為に繊細な段付模様が表現出来良質な化粧ブロックを生産することが可能になる。
【０００８】上型の加圧時は図５に示したピン２０、ピン２１、の作用に特徴があり中心型１に連結棒１０を介して加圧力が加わり中心型１は骨材の中に圧入される、ピン２１は中心型１に固定され同時に下降してピンの首の部分が型２に引っ掛かり型２も下降する、続いてピン２０も型２に固定されていて型２の下降によりピンの首が型３に引っ掛かり加圧され上型１、２、３は骨材の中に圧入される、この時点で図４に示す８のシリンダ−の圧力は連結棒１０と、１３のストッパ−を介して連結板１１に伝わり加圧板４と多段型１、２、３で骨材全体を加圧する。
【０００９】加圧用上型は図６に示す通り上型３の中に収納されている、上部上型の下降スタ−ト時点では１図１２のスプリングは伸びていて加圧板４の底面と上型１、２、３型の底面は同一水準になっている、シリンダ−８の加圧力で上型全体が下降して下型枠中の骨材の上面に達するとスプリング１２が縮み始めると同時に型１が骨材の中に圧入されて三段模様の成型が始まる。
さらに、上部シリンダ−で加圧力が加わるとスプリング１２が縮み三段模様の成型が進行する、更に加圧力を加えて三段模様の成型を完成させて脱型にはいる。
脱型時の繊細な動作は図１０、図１１、図１２、に示す、この脱型方法はいかに多段の水平を保ち繊細な段形状を維持して脱型することにある。
【実地例】
【００１０】本発明の水平段付化粧コンクリ−トブロック成型方法及び上型枠を図に基づいて説明する、図１は従来一般に使用されている成型機の概略全体図である、その中で本発明の主要部分が上型である、８は加圧用シリンダ−で、３は多段型上型、４はブロックの上面加圧用板である、以下従来使用されている、５０、５１、は骨材の給材装置で、５２、は下型枠で５４、５５、は成型品の脱型装置である。
図２は図１の矢印Ａの方向から見た概略図である、図４は本発明の多段上型の全体図である、多段上型の動作は図６が加圧スタ−ト時で図７が一段加圧時、図８が二段加圧時で三段も同様に加圧する、その後上型全体で加圧して脱型に入る図１０図は加圧板４の低部が下型枠５２の低部に同一になると、加圧シリンダ−８の力の方向が逆になり脱型が始まる、図１０は多段型が脱型に入り中心型１が脱型された図を示す、中心型１が脱型移動する時には成型された骨材の崩れを防止するために２型、３型の重量で骨材を押さえて型崩れを防いている、１型を挟入した２型の脱型時も３型が静止しており３型の脱型時には加圧板４が静止して成型品の型崩れを防いている、上型が脱型に入ると図４に示す１２のスプリングが伸びて加圧板は骨材の表面をスプリングが伸び反発力で骨材の表面を加圧する。
図５は上型の中心型１と、２、３、型を側面からみた一部断面図である、図５の連結棒に加圧力が伝わり１の中心型が下方に移行して２型との間に空間ができる中心型１とピン２１は固定されていてピン２１も下降してピン２１の首の部分に２型が引っ掛かり２型も下降する、更に下降が続くと２型とピン２１は固定されているからピンの首の部分に３型が引っ掛かり３型も下降する、図５に示すピン２０、２１は多段型の左右に有り多段型の水平を保持している。
【００１１】上記工程により成型され乾燥された成型品は図１３に示す、図１３に示す点線の位置で上下より８５の刃体で加圧して成型品を二分割して割り肌化粧面を作る、
【発明の効果】
【００１２】本発明は前記のようにコンクリ−トブロック成型用上型に段付加圧型を設け当上型に連結棒１０で加圧力が加わり上型の中心型１が骨材に圧入される、続いて連結棒１０により加圧力が継続され二段め三段めが骨材に圧入され最後に表面加圧板により骨材全面が加圧されて成型が終わる。
本発明の最大の効果は脱型時にある、繊細な化粧面などは脱型時模様が崩れることが多い、本開発の水平段付化粧コンクリ−トブロックは段の厚みが少ない為に脱型時にコンクリ−トが型に着離して成型品の変形が多発する、それを回避する為に本発明の効果は大である。
【００１３】本発明の特徴は上型の脱型時に上型が全体で脱型するのでなく中心型より一段ずつ脱型する事が本発明の最大の効果である、中心型が上方に脱型移動すると骨材も上方に移動する力が働き型崩れの基になる、本発明の型は上記骨材の上方移動の働きを上型の重量で骨材を押さえて成型を促進させ繊細な形状を維持する効果の大きい成形用多段上型である。
前記、本発明の成型加工全体を考慮するに上型の改良のみで製品を生産できる、ゆえに従来ある成型機を全面活用できる為に、設備投資が最小限で済み生産コストの低減と良品質の製品を提供する等の諸効果をもたらす。
【図面の簡単な説明】
【図１】本発明の一実地例を示すコンクリ−トブロック成型方法の概略説明図。
【図２】図１の矢印Ａの方向から見た概略全体図。
【図３】従来から有る成型用上型の概略図。
【図４】本発明の多段上型の説明図。
【図５】本発明の多段部を側面から見た一部断面図。
【図６】下型枠に骨材が投入され上型で加圧した説明図。
【図７】下型枠内の骨材に上型の中心型が圧入された図。
【図８】下型枠内の骨材に上型の中心型と二型が圧入された図。
【図９】下型枠内の骨材に上型の中心型と二型と三型が圧入され脱形した図。
【図１０】下型枠外に脱形された成型品の中央部で中心型の脱形図。
【図１１】下型枠外に脱形された成型品の中央部で中心型と二型の脱形図。
【図１２】下型枠外に脱形された成型品の中央部で中心型と二型と三型の脱形図
【図１３】成型品の割り加工図。
【図１４】成型品の完成図。
【符号の説明】１多段上型の中心型。
２多段上型の二段型。
３多段上型の三段型。
４加圧板。
８上型用加圧シリンダ−。
１０連結棒。
１１連結板。
１２スプリング
１３ストッパ−
３１従来型の二段め左コウナ−
３２従来型の一段め左コウナ−
３３従来型の一段め右コウナ−
３４従来型の二段め右コウナ−
５０給材箱。
５１給材用シリンダ−。
５２成型用下型。
５３下型中子釣り。
５４成型品受け板。
５５脱形用シリンダ−。
５８中子。
８０成形品。
８５刃体
【図１】
2011235623.tif 000003
【図２】
2011235623.tif 000004
【図３】
2011235623.tif 000005
【図４】
2011235623.tif 000006
【図５】
2011235623.tif 000007
【図６】
2011235623.tif 000008
【図７】
2011235623.tif 000009
【図８】
2011235623.tif 000010
【図９】
2011235623.tif 000011
【図１０】
2011235623.tif 000012
【図１１】
2011235623.tif 000013
【図１２】
2011235623.tif 000014
【図１３】
2011235623.tif 000015
【図１４】
2011235623.tif 000016